(57)【特許請求の範囲】
【請求項１】
検体を処理するための検体処理装置であって、
検体を処理する検体処理部と、
表示部と、
検体処理に関する情報を表示するための第１画面を前記表示部に表示させる制御部と、
前記検体処理装置の電子マニュアルを記憶する記憶部と、を備え、
前記電子マニュアルは、異常の原因および異常の解除条件の少なくとも一方を説明する説明情報が記載された章と、装置の保守を行う際の操作手順が記載された章とを含み、
前記制御部は、前記検体処理部における異常が検出されている場合、前記操作手順が記載された章のうち、前記異常に対応するための一連の操作手順を示す対処情報が記載されている該当ページを前記第１画面に表示させる処理を実行可能であり、
前記対処情報が記載されている該当ページは、前記対処情報よりも詳細な詳細支援情報が記載された前記電子マニュアルの該当ページへのリンクを含む、
ことを特徴とする検体処理装置。
【請求項２】
請求項１に記載の検体処理装置において、
前記制御部は、
前記異常が検出されている場合、前記異常の内容を示す異常表示領域とともに、前記対処情報の表示を指示するための対処情報指示部を含む第２画面を前記表示部に表示させる処理と、
前記第２画面において前記対処情報指示部が操作されると、前記対処情報が記載された前記電子マニュアルの前記該当ページを前記第１画面に表示させる処理と、を実行する、
ことを特徴とする検体処理装置。
【請求項３】
請求項２に記載の検体処理装置において、
前記第２画面は、前記異常を解除するための解除処理の実行を指示するための解除処理指示部をさらに含み、
前記制御部は、前記第２画面において前記解除処理指示部が操作されると、前記解除処理を実行する、
ことを特徴とする検体処理装置。
【請求項４】
請求項３に記載の検体処理装置において、
前記制御部は、前記第２画面を前記第１画面と同時に前記表示部に表示させ、前記対処情報が記載された前記電子マニュアルの前記該当ページが前記第１画面に表示されている状態で前記第２画面の前記解除処理指示部の操作を受付可能に構成されている、
ことを特徴とする検体処理装置。
【請求項５】
請求項３または４に記載の検体処理装置において、
前記異常は、前記検体処理部の動作不良を含み、
前記制御部は、前記解除処理指示部が操作されると、前記解除処理として、前記動作不良から復旧するための復旧動作を前記検体処理部に行わせる処理を実行する、
ことを特徴とする検体処理装置。
【請求項６】
請求項３ないし５の何れか一項に記載の検体処理装置において、
前記検体処理部は、複数の試薬容器内の試薬を用いて検体を処理するよう構成され、
前記異常は、試薬容器内の試薬残量の不足を含み、
前記制御部は、前記解除処理指示部が操作されると、前記解除処理として、試薬残量が不足している試薬容器をユーザに認識させるための画面を前記表示部に表示させる表示処理を実行する、
ことを特徴とする検体処理装置。
【請求項７】
請求項２ないし６の何れか一項に記載の検体処理装置において、
前記制御部は、
前記第１画面として、前記電子マニュアルの表示を指示するためのマニュアル表示指示部を含む複数の指示部を表示するためのメイン領域と、ツールバー領域とを含むメニュー画面を前記表示部に表示させる処理と、
前記マニュアル表示指示部が操作されると、前記検体処理部において前記異常が検出されていなくても前記電子マニュアルを前記メイン領域に表示させる処理と、を実行する、
ことを特徴とする検体処理装置。
【請求項８】
請求項２ないし７に記載の検体処理装置において、
前記リンクが操作されることにより表示される前記電子マニュアルの前記該当ページは、前記検体処理部の異常解除に必要なユーザの操作手順を示す動画情報を含む、
ことを特徴とする検体処理装置。
【請求項９】
請求項２ないし８の何れか一項に記載の検体処理装置において、
前記第２画面には、前記説明情報の表示を指示するための説明情報指示部が含まれており、
前記制御部は、前記第２画面において前記説明情報指示部が操作されると、前記異常に関する前記説明情報が記載された前記電子マニュアルの該当ページを前記第１画面に表示させる、
ことを特徴とする検体処理装置。
【請求項１０】
請求項２ないし９の何れか一項に記載の検体処理装置において、
前記第１画面は、検体処理に関する情報を表示するための主領域と、前記主領域とは異なる副領域とを含み、
前記制御部は、前記異常が検出されるとエラーボタンを副領域に表示させ、前記エラーボタンが操作されると、前記第２画面を前記第１画面に重ねて表示させる、
ことを特徴とする検体処理装置。
【請求項１１】
請求項１０に記載の検体処理装置において、
前記第２画面は、非表示ボタンを含み、
前記制御部は、前記非表示ボタンが操作されると前記第２画面を前記第１画面上から消し、前記副領域のエラーボタンが操作されると、前記第２画面を再度前記第１画面上に重ねて表示させる、
ことを特徴とする検体処理装置。
【請求項１２】
請求項２ないし１１の何れか一項に記載の検体処理装置において、
前記制御部は、前記異常の内容を示す情報を前記表示部に表示させる際に、前記対処情報が記載された前記電子マニュアルの前記該当ページを自動的に前記第１画面に表示させる、
ことを特徴とする検体処理装置。
【発明の詳細な説明】
【技術分野】
【０００１】
本発明は、血液等の検体を処理する検体処理装置に関する。
【背景技術】
【０００２】
現在、血液や尿等の臨床検体を処理するための検体処理装置が、医療施設において用いられている。かかる検体処理装置では、装置に異常が発生すると、検体に対する処理が中断されるため、異常に円滑に対応するための構成が必要となる。
【０００３】
特許文献１には、測定部において異常が発生すると、エラーリストとＯＫボタンを含むヘルプダイアログを表示部に表示させる多項目自動血球分析装置が開示されている。この装置では、表示されたエラーリストから所定のエラーが選択されてＯＫボタンが押されると、このエラーに対する適切な復帰処理が実行され、または、復帰処理に必要な画面が表示部に表示される。また、エラーリストにおいて所定のエラーが選択されると、このエラーに関する説明およびエラーからの復帰方法が、ヘルプダイアログのアクションの欄に表示される。たとえば、測定部で発生した圧力異常がエラーリストから選択されると、アクションの欄には圧力異常からの復帰方法として「圧力を調整して下さい」とのメッセージが表示される。
【先行技術文献】
【特許文献】
【０００４】
【特許文献１】特開２００３−２３２７９７号公報
【発明の概要】
【発明が解決しようとする課題】
【０００５】
しかしながら、特許文献１に記載の装置では、操作に不慣れなユーザには、異常へ対処するために、どのような手順で操作を行えば良いかが分からないことがある。たとえば、異常への対処方法として「圧力を調整して下さい」といったメッセージが表示されただけでは、圧力を調整するための具体的な操作手順が分からないことがある。そのため、ユーザによっては、施設に冊子として保管されている当該装置の取扱説明書で異常への対処方法が記載された箇所を探して参照するといった手間が掛かることとなる。
【０００６】
本発明は、かかる課題に鑑みてなされたものであり、装置で生じた異常を解除する際のユーザの手間を軽減することができる検体処理装置を提供することを目的とする。
【課題を解決するための手段】
【０００７】
本発明の主たる態様は、検体を処理するための検体処理装置に関する。この態様に係る検体処理装置は、検体を処理する検体処理部と、表示部と、検体処理に関する情報を表示するための第１画面を前記表示部に表示させる制御部と、前記検体処理装置の電子マニュアルを記憶する記憶部と、を備える。ここで、  前記電子マニュアルは、異常の原因および異常の解除条件の少なくとも一方を説明する説明情報が記載された章と、装置の保守を行う際の操作手順が記載された章とを含む。また、前記制御部は、前記検体処理部における異常が検出されている場合、前記操作手順が記載された章のうち、前記異常に対応するための一連の操作手順を示す対処情報が記載されている該当ページを前記第１画面に表示させる処理を実行可能であり、前記対処情報が記載されている該当ページは、前記対処情報よりも詳細な詳細支援情報が記載された前記電子マニュアルの該当ページへのリンクを含む。
【０００８】
本態様に係る検体処理装置によれば、ユーザは、異常に対応するための一連の操作手順が分からない場合であっても、異常への対処情報が記載された電子マニュアルの該当箇所を表示部で確認することができるので、ユーザは、施設に冊子として保管されてある取扱説明書で異常への対処方法が記載された箇所を別途探して参照する必要がない。そのため
、装置で生じた異常を解除する際のユーザの手間を軽減することができる。
【０００９】
本態様に係る検体処理装置において、前記制御部は、前記異常が検出されている場合、前記異常の内容を示す異常表示領域とともに、前記対処情報の表示を指示するための対処情報指示部を含む第２画面を前記表示部に表示させる処理と、前記第２画面において前記対処情報指示部が操作されると、前記対処情報が記載された前記電子マニュアルの前記該当ページを前記第１画面に表示させる処理と、を実行するよう構成され得る。こうすると、ユーザは、異常表示領域を確認することにより、検出された異常の内容を知ることができる。また、ユーザは必要に応じて電子マニュアルを表示させることができる。
【００１０】
この場合、前記第２画面は、前記異常を解除するための解除処理の実行を指示するための解除処理指示部をさらに含み、前記制御部は、前記第２画面において前記解除処理指示部が操作されると、前記解除処理を実行するよう構成され得る。こうすると、ユーザは、解除処理指示部を操作して解除処理を装置に実行させることもできる。そのため、解除処理におけるユーザの手間を軽減することができる。また、第２画面上に対処情報指示部および解除処理指示部の両方が表示されるので、ユーザは異常の内容を確認しながら、対処情報の表示と解除処理の実行を容易に装置に行わせることができる。また、ユーザは、検出された異常に対応するための一連の操作手順が分からない場合には、対処情報を表示部に表示させて操作手順を確認した後に解除処理指示部を操作して解除処理を行わせることができる。他方、異常に対応するための一連の操作手順が分かっている場合には、対処情報を表示部に表示させることなく、解除処理指示部を操作して解除処理を行わせることができる。これによっても、装置で生じた異常の解除処理を行う際のユーザの手間を軽減することができる。
【００１１】
この場合、前記制御部は、前記第２画面を前記第１画面と同時に前記表示部に表示させ、前記対処情報が記載された前記電子マニュアルの前記該当ページが前記第１画面に表示されている状態で前記第２画面の前記解除処理指示部の操作を受付可能に構成され得る。こうすると、対処情報が記載された電子マニュアルの該当ページを第１画面に表示させた状態で解除処理指示部を操作して解除処理を行うことができるので、ユーザの操作性を向上させることができる。
【００１２】
また、前記異常は、前記検体処理部の動作不良を含み、前記制御部は、前記解除処理指示部が操作されると、前記解除処理として、前記動作不良から復旧するための復旧動作を前記検体処理部に行わせる処理を実行するよう構成され得る。こうすると、装置が自動で解除処理を行うので、ユーザの負担を軽減させることができる。
【００１３】
また、前記検体処理部は、複数の試薬容器内の試薬を用いて検体を処理するよう構成され、前記異常は、試薬容器内の試薬残量の不足を含み、前記制御部は、前記解除処理指示部が操作されると、前記解除処理として、試薬残量が不足している試薬容器をユーザに認識させるための画面を前記表示部に表示させる表示処理を実行するよう構成され得る。こうすると、試薬残量が不足している試薬容器をユーザが容易に認識することができるので、ユーザは、試薬容器の交換動作を容易に行うことができる。
【００１６】
また、本態様に係る検体処理装置において、前記制御部は、前記第１画面として、前記電子マニュアルの表示を指示するためのマニュアル表示指示部を含む複数の指示部を表示するためのメイン領域と、ツールバー領域とを含むメニュー画面を前記表示部に表示させる処理と、前記マニュアル表示指示部が操作されると、前記検体処理部において異常が検出されていなくても前記電子マニュアルを前記表示部に表示させる処理と、を実行するよう構成され得る。こうすると、異常の検出とは無関係に電子マニュアルを表示させることができ、ユーザの任意のタイミングで電子マニュアルを容易に参照することができる。また、異常が検出された場合には、第１画面のマニュアル表示指示部を操作しなくても、第２画面の対処情報指示部を操作することによって、異常への対処情報が記載された電子マニュアルの該当箇所を容易に表示させることができる。
【００１８】
また、本態様に係る検体処理装置において、前記リンクが操作されることにより表示される前記電子マニュアルの前記該当ページは、前記検体処理部の異常解除に必要なユーザの操作手順を示す動画情報を含むよう構成され得る。こうすると、動画によりユーザの操作手順が示されるので、ユーザは、より容易に異常に対応することができる。
【００１９】
また、本態様に係る検体処理装置において、前記第２画面には、前記説明情報の表示を指示するための説明情報指示部が含まれており、前記制御部は、前記第２画面において前記説明情報指示部が操作されると、前記異常に関する前記説明情報が記載された前記電子マニュアルの該当ページを前記第１画面に表示させるよう構成され得る。こうすると、ユーザは、検出された異常の原因および異常を解除するための条件についての説明を、簡易な操作により表示部に表示させることができる。
【００２０】
また、本態様に係る検体処理装置において、前記第１画面は、検体処理に関する情報を表示するための主領域と、前記主領域とは異なる副領域とを含み、前記制御部は、前記異常が検出されるとエラーボタンを副領域に表示させ、前記エラーボタンが操作されると、前記第２画面を前記第１画面に重ねて表示させるよう構成され得る。こうすると、エラーボタンが副領域に表示されるので、主領域の表示に拘わらず、ユーザの都合に合わせて、第２画面を表示部に表示させることができる。これにより、ユーザは、たとえば主領域に表示された検体処理結果を確認した後に第２画面を表示させて異常を確認することができるため、ユーザの操作性をさらに向上させることができる。
【００２１】
この場合、前記第２画面は、非表示ボタンを含み、前記制御部は、前記非表示ボタンが操作されると前記第２画面を前記第１画面上から消し、前記副領域のエラーボタンが操作
されると、前記第２画面を再度前記第１画面上に重ねて表示させるよう構成され得る。こうすると、ユーザの都合に合わせて第２画面を第１画面上に表示させたり、第１画面上から消したりすることができるので、ユーザの操作性をさらに向上させることができる。
【００２２】
また、本態様に係る検体処理装置において、前記制御部は、前記異常の内容を示す情報を前記表示部に表示させる際に、前記対処情報が記載された前記電子マニュアルの前記該当ページを自動的に前記第１画面に表示させるよう構成され得る。こうすると、ユーザは電子マニュアルを表示させるための操作を行う必要がないので、ユーザの手間をさらに軽減させることができる。
【発明の効果】
【００２３】
以上のとおり、本発明によれば、装置で生じた異常を解除する際のユーザの手間を軽減することができる検体処理装置を提供することができる。
【００２４】
本発明の効果ないし意義は、以下に示す実施の形態の説明により更に明らかとなろう。ただし、以下に示す実施の形態は、あくまでも、本発明を実施化する際の一つの例示であって、本発明は、以下の実施の形態により何ら制限されるものではない。
【図面の簡単な説明】
【００２５】
【図１】実施の形態に係る検体処理装置の外観を示す斜視図である。
【図２】実施の形態に係る搬送ユニットおよび測定ユニットの構成の概要を示す図である。
【図３】実施の形態に係る情報処理ユニットの構成を示す図である。
【図４】実施の形態に係る表示部に表示されるメニュー画面を示す図である。
【図５】実施の形態に係るヘルプダイアログが開かれているときの表示部の表示内容を示す図である。
【図６】実施の形態に係るヘルプダイアログの取扱説明書表示ボタンが押下されたときの表示部の表示内容を示す図である。
【図７】実施の形態に係るヘルプダイアログの詳細手順表示ボタンが押下されたときの表示部の表示内容を示す図である。
【図８】実施の形態に係る動画を含む電子マニュアルのページを示す図および動画表示領域の表示内容を示す図である。
【図９】実施の形態に係る表示領域とヘルプダイアログが同時に表示されているときの表示部の表示内容を示す図である。
【図１０】実施の形態に係る試薬切れに基づくヘルプダイアログが開かれているときの表示部の表示内容を示す図である。
【図１１】実施の形態に係るヘルプダイアログの詳細手順表示ボタンが押下されたときの表示部の表示内容を示す図である。
【図１２】実施の形態に係る表示領域とヘルプダイアログが同時に表示されているときの表示部の表示内容を示す図である。
【図１３】実施の形態に係るヘルプダイアログの実行ボタンが押下されたときの表示部の表示内容を示す図である。
【図１４】実施の形態に係る精度管理異常に基づくヘルプダイアログが開かれているときの表示部の表示内容を示す図である。
【図１５】実施の形態に係るヘルプダイアログの詳細データ表示ボタンが押下されたときの表示部の表示内容を示す図である。
【図１６】実施の形態に係る種々のエラーが生じたときに表示部に表示されるヘルプダイアログおよび操作部を示す図である。
【図１７】実施の形態に係るヘルプダイアログが操作されることにより行われる処理のフローチャートを示す図である。
【図１８】実施の形態に係る異常が検出されたときの表示部に表示されるメニュー画面の変更例を示す図である。
【発明を実施するための形態】
【００２６】
本実施の形態は、血液に関する検査および分析を行うための検体処理装置に本発明を適用したものである。
【００２７】
以下、本実施の形態に係る検体処理装置について、図面を参照して説明する。
【００２８】
図１は、検体処理装置１の外観を示す斜視図である。本実施の形態に係る検体処理装置１は、搬送ユニット２と、測定ユニット３１、３２と、情報処理ユニット４から構成されている。
【００２９】
搬送ユニット２は、測定ユニット３１、３２の前方に配置されており、右テーブル２１と、左テーブル２２と、右テーブル２１と左テーブル２２とをつなぐラック搬送部２３とを備えている。右テーブル２１と左テーブル２２は、１０本の検体容器Ｔを保持可能な複数の検体ラックＬを収容することができる。
【００３０】
搬送ユニット２は、ユーザが右テーブル２１に載置した検体ラックＬを収容する。また、搬送ユニット２は、右テーブル２１に収容している検体ラックＬを搬送し、検体容器Ｔが測定ユニット３１、３２に供給されるよう、検体ラックＬをラック搬送部２３の所定位置に位置付ける。さらに、搬送ユニット２は、ラック搬送部２３上にある検体ラックＬを搬送して、左テーブル２２に回収する。
【００３１】
また、検体ラックＬと検体容器Ｔにそれぞれ貼付されたバーコードラベルは、ラック搬送部２３の所定位置において、搬送ユニット２のバーコードリーダ２０３（図２参照）により読み取られる。
【００３２】
測定ユニット３１は、当該ユニットの前方のラック搬送部２３上にある検体容器Ｔに対して処理を行う。すなわち、測定ユニット３１は、ラック搬送部２３の所定の位置において、ハンド部（図示せず）により検体ラックＬから検体容器Ｔを取り出して測定ユニット３１の内部に搬送し、この検体容器Ｔに収容された検体を測定ユニット３１内で測定する。測定が完了すると、測定ユニット３１は、この検体容器Ｔを再び元の検体ラックＬの保持部に戻す。また、測定ユニット３２も、測定ユニット３１と同様にして検体の測定を行う。
【００３３】
また、測定ユニット３１、３２は、それぞれ、装置の前面に蓋３１ａ、３２ａを有している。ユーザは、蓋３１ａ、３２ａを開けることにより、後述するＲＢＣ検出器のつまり除去や、測定ユニット３１、３２の試薬交換を行うことができる。
【００３４】
情報処理ユニット４は、入力部４１と表示部４２を備えている。また、情報処理ユニット４は、搬送ユニット２と、測定ユニット３１、３２と、ホストコンピュータ（図示せず）と、通信ネットワークを介して通信可能に接続されている。
【００３５】
情報処理ユニット４は、搬送ユニット２と測定ユニット３１、３２の動作を制御する。また、情報処理ユニット４は、後述するように、エラーを検出してエラー内容を表示部４２に表示し、ユーザの指示に応じて表示部４２に電子マニュアル（取扱説明書）を表示する。
【００３６】
図２は、搬送ユニット２と測定ユニット３１、３２の構成の概要を示す図である。
【００３７】
搬送ユニット２は、駆動部２０１と、センサ部２０２と、バーコードリーダ２０３と、通信部２０４を備える。
【００３８】
駆動部２０１は、搬送ユニット２内で検体ラックＬを搬送するための機構を含んでおり、センサ部２０２は、搬送ユニット２内にある検体ラックＬを検出するためのセンサを含んでいる。バーコードリーダ２０３は、検体ラックＬと検体容器Ｔにそれぞれ貼付されたバーコードラベルを読み取る。
【００３９】
通信部２０４は、情報処理ユニット４と通信可能に接続されている。搬送ユニット２内の各部は、通信部２０４を介して、情報処理ユニット４により制御される。また、搬送ユニット２内の各部から出力される信号は、通信部２０４を介して情報処理ユニット４に送信される。
【００４０】
測定ユニット３１、３２は、それぞれ、吸引部３０１と、試料調製部３０２と、検出部３０３と、駆動部３０４と、センサ部３０５と、バーコードリーダ３０６と、通信部３０７を備える。なお、測定ユニット３１、３２は全く同様に構成されるため、以下、便宜上、測定ユニット３１についてのみ説明する。
【００４１】
吸引部３０１は、測定ユニット３１内に搬送された検体容器Ｔに収容されている検体を吸引する機構を含んでいる。試料調製部３０２は、複数の反応チャンバを備えている。試料調製部３０２は、反応チャンバ内で、吸引された検体と試薬とを混合攪拌し、測定用の試料を調製する。検出部３０３は、試料調製部３０２により調製された試料を測定する。検出部３０３は、試料中の白血球、有核赤血球等を測定するための光学検出器を有し、この光学検出器によって試料中の白血球、有核赤血球等から光学情報（側方蛍光信号、前方散乱光信号、側方散乱光信号）を検体のデータとして検出する。また、検出部３０３は、試料中の赤血球、血小板を測定するための電気式のＲＢＣ検出器を有し、このＲＢＣ検出器によって試料中の赤血球、血小板から電気情報を検体のデータとして検出する。
【００４２】
駆動部３０４は、測定ユニット３１内で検体容器Ｔを搬送するための機構を含んでいる。センサ部３０５は、測定ユニット３１内で検体容器Ｔを検出するためのセンサを含んでいる。バーコードリーダ３０６は、測定ユニット３１内に搬送された検体容器Ｔに貼付されたバーコードラベルを読み取る。
【００４３】
通信部３０７は、情報処理ユニット４と通信可能に接続されている。測定ユニット３１内の各部は、通信部３０７を介して、情報処理ユニット４により制御される。また、測定ユニット３１内の各部から出力される信号は、通信部３０７を介して情報処理ユニット４に送信される。
【００４４】
図３は、情報処理ユニット４の構成を示す図である。
【００４５】
情報処理ユニット４は、パーソナルコンピュータからなり、本体４０と、入力部４１と、表示部４２から構成されている。本体４０は、ＣＰＵ４０１と、ＲＯＭ４０２と、ＲＡＭ４０３と、ハードディスク４０４と、読出装置４０５と、入出力インターフェース４０６と、画像出力インターフェース４０７と、通信インターフェース４０８を有する。
【００４６】
ＣＰＵ４０１は、ＲＯＭ４０２に記憶されているコンピュータプログラムおよびＲＡＭ４０３にロードされたコンピュータプログラムを実行する。ＲＡＭ４０３は、ＲＯＭ４０２およびハードディスク４０４に記録されているコンピュータプログラムの読み出しに用いられる。また、ＲＡＭ４０３は、これらのコンピュータプログラムを実行するときに、
ＣＰＵ４０１の作業領域としても利用される。
【００４７】
ハードディスク４０４には、オペレーティングシステムおよびアプリケーションプログラムなど、ＣＰＵ４０１に実行させるための種々のコンピュータプログラムおよびコンピュータプログラムの実行に用いるデータがインストールされている。すなわち、ハードディスク４０４には、測定ユニット３１、３２から送信された検体のデータを解析して赤血球数、白血球数等の測定結果を生成し、生成した測定結果に基づいて表示部４２に表示を行うプログラム等がインストールされている。また、ハードディスク４０４には、検体処理装置１の電子マニュアルが記憶され、さらに、後述するメニュー画面Ａ１と、ヘルプダイアログＤ１と、試薬交換ダイアログＤ２等を表示し、これら画面を介した入力を受け付けるためのプログラム等がインストールされている。
【００４８】
なお、本実施の形態の電子マニュアルは、冊子形式の取扱説明書と同様にページ順に検体処理装置１の取り扱い方法が記載されたＰＤＦファイルであり、章、節、項といった段落ごとに記載がなされている。電子マニュアルでは、各種の図表、画面例等を用いて、検体測定、異常への対処等の操作を行う際の一連の操作手順が詳細に記載されており、電子マニュアルをプリントアウトした場合には冊子形式の取扱説明書を作成することができる。この電子マニュアルは、冊子形式に作成されている取扱説明書を電子化することによって生成されてもよい。
【００４９】
読出装置４０５は、ＣＤドライブまたはＤＶＤドライブ等によって構成されており、記録媒体に記録されたコンピュータプログラムおよびデータを読み出すことができる。入出力インターフェース４０６には、マウスやキーボードからなる入力部４１が接続されており、ユーザが入力部４１を使用することにより、情報処理ユニット４に指示およびデータが入力される。画像出力インターフェース４０７は、ディスプレイ等で構成された表示部４２に接続されており、画像データに応じた映像信号を、表示部４２に出力する。
【００５０】
表示部４２は、入力された映像信号をもとに、画像を表示する。表示部４２には、後述するメニュー画面Ａ１と、ヘルプダイアログＤ１と、試薬交換ダイアログＤ２の他、各種プログラム画面が表示される。また、通信インターフェース４０８により、搬送ユニット２と測定ユニット３１、３２に対してデータの送受信が可能となる。ＣＰＵ４０１は、通信インターフェース４０８を介して、後述するように、測定ユニット３１、３２と搬送ユニット２の各部においてエラーが発生したかを監視している。
【００５１】
図４は、表示部４２に表示されるメニュー画面Ａ１を示す図である。なお、図４は、メニュー画面Ａ１の初期状態を示している。
【００５２】
メニュー画面Ａ１は、ツールバー領域Ａ１０と、メイン領域Ａ２０と、測定操作領域Ａ３０を含んでいる。
【００５３】
ツールバー領域Ａ１０は、複数のボタンを含んでいる。ツールバー領域Ａ１０は、メニュー画面Ａ１の表示内容が変化しても常に画面の上部に表示される。メイン領域Ａ２０は、各種メニューを表示するための複数のボタンを含んでいる。ユーザは、これらボタンを押下して情報処理ユニット４に様々な指示を与えることができる。なお、メイン領域Ａ２０には、初期状態において、図４に示す如く複数のボタンが表示されている。メイン領域Ａ２０には、検体処理装置１の電子マニュアルを表示させるための取扱説明書ボタンＨ１が表示されている。この取扱説明書ボタンＨ１が押下されると、メイン領域Ａ２０に検体処理装置１の電子マニュアルが表示される。なお、ヘルプダイアログＤ１の後述する取扱説明書表示ボタンＤ１２および詳細手順表示ボタンＤ１３が押された場合にも電子マニュアルはメイン領域Ａ２０に表示されるが、これらのボタンＤ１２およびＤ１３の操作とは
別途、取扱説明書ボタンＨ１を操作することによって、ユーザの任意のタイミングで電子マニュアルを表示させることができる。
【００５４】
測定操作領域Ａ３０は、２台の測定ユニット３１、３２に対応した操作部Ｍ１、Ｍ２を含んでいる。操作部Ｍ１、Ｍ２は、同様に構成されており、ステータス通知部Ｐ１１、Ｐ２１と、エラーメッセージ表示領域Ｐ１２、Ｐ２２と、エラー警告を示すアイコンを含むエラーボタンＰ３１と、操作部メニューボタンＰ３２を含んでいる。
【００５５】
ステータス通知部Ｐ１１は、対応する測定ユニットが正常に動作している場合には緑色に表示され、この測定ユニットにエラーが発生している場合には、赤色に表示される。エラーメッセージ表示領域Ｐ１２には、この測定ユニットにエラーが発生したときにエラーメッセージが表示される。ステータス通知部Ｐ２１は、この測定ユニットに対応する搬送ユニット２の領域が正常に動作している場合には緑色に表示され、搬送ユニット２にエラーが発生している場合には、赤色に表示される。エラーメッセージ表示領域Ｐ２２には、この搬送ユニット２の領域にエラーが発生したときにエラーメッセージが表示される。なお、図４では、エラーが発生していないため、ステータス通知部Ｐ１１、Ｐ２１は緑色となっており、エラーメッセージ表示領域Ｐ１２、Ｐ２２にはエラーメッセージが表示されていない。
【００５６】
エラーボタンＰ３１は、対応する測定ユニットにエラーが発生すると表示されるボタンである。エラーボタンＰ３１が表示されるとき、対応する操作部の上部にヘルプダイアログＤ１（図５参照）が表示される。なお、図４では、測定ユニット３１、３２と搬送ユニット２にエラーが発生しておらず、何れのエラーボタンＰ３１も表示されていない。操作部メニューボタンＰ３２は、種々の処理を指定可能な操作部メニュー画面（図示せず）を開くためのボタンである。
【００５７】
図５は、ヘルプダイアログＤ１が開かれているときの表示部４２の表示内容を示す図である。図５は、測定ユニット３２において“ＲＢＣ検出器つまり”が発生している状態を示している。
【００５８】
操作部Ｍ２では、測定ユニット３２においてエラーが発生したことにより、ステータス通知部Ｐ１１の色が赤色となっている。また、エラーメッセージ表示領域Ｐ１２には、エラーメッセージが表示されている。また、測定ユニット３２においてエラーが発生したことにより、エラーボタンＰ３１が表示され、操作部Ｍ２の上部にヘルプダイアログＤ１が表示されている。
【００５９】
ヘルプダイアログＤ１は、エラーメッセージリストＤ１１と、取扱説明書表示ボタンＤ１２と、詳細手順表示ボタンＤ１３と、実行ボタンＤ１４と、閉じるボタンＤ１５を含んでいる。エラーメッセージリストＤ１１には、エラー項目が表示され、複数のエラーが同時に発生している場合には、複数のエラー項目が表示される。
【００６０】
取扱説明書表示ボタンＤ１２が押下されると、エラーメッセージリストＤ１１で選択されているエラーについての原因、対処、エラー復帰条件等の情報が記載された電子マニュアルの該当ページが、メイン領域Ａ２０に表示される。詳細手順表示ボタンＤ１３が押下されると、エラーメッセージリストＤ１１で選択されているエラーへの対処方法（操作手順）が記載された電子マニュアルの該当ページが、メイン領域Ａ２０に表示される。実行ボタンＤ１４が押下されると、エラーメッセージリストＤ１１で選択されているエラーを解除するための処理が実行される。閉じるボタンＤ１５が押下されると、ヘルプダイアログＤ１が閉じられる。
【００６１】
たとえば、ユーザは“ＲＢＣ検出器つまり”を解消する場合、測定ユニット３２の蓋３２ａを開けて、ＲＢＣ検出器のつまりを除去するための所定の手順を行った後で、実行ボタンＤ１４を押下する。これにより、“ＲＢＣ検出器つまり”のエラーが解除され、エラーメッセージリストＤ１１から対応するエラー項目が消える。このとき、全てのエラー項目がなくなると、ヘルプダイアログＤ１が閉じられると共に、エラーボタンＰ３１が消え、ステータス通知部Ｐ１１の色が緑色になり、エラーメッセージ表示領域Ｐ１２のエラーメッセージが消える。
【００６２】
また、エラーメッセージリストＤ１１にエラー項目が表示されているときに、閉じるボタンＤ１５が押下されてヘルプダイアログＤ１が閉じられた場合、エラーが解除されていないため、操作部Ｍ２のエラーボタンＰ３１は表示されたままとなる。この場合、エラーボタンＰ３１が押下されると、再び操作部Ｍ２の上部にヘルプダイアログＤ１が表示される。
【００６３】
なお、測定ユニット３１にエラーが発生した場合も、操作部Ｍ１のステータス通知部Ｐ１１の色が赤色になり、エラーメッセージ表示領域Ｐ１２にエラーメッセージが表示され、エラーボタンＰ３１が表示され、操作部Ｍ１の上部にヘルプダイアログＤ１が表示される。
【００６４】
図６は、図５に示すヘルプダイアログＤ１の取扱説明書表示ボタンＤ１２が押下されたときの表示部４２の表示内容を示す図である。
【００６５】
図５に示す状態でユーザにより取扱説明書表示ボタンＤ１２が押下されると、ヘルプダイアログＤ１が閉じられて、メイン領域Ａ２０に表示領域Ａ２１が設定される。図６に示す如く、この場合の表示領域Ａ２１には、エラーメッセージリストＤ１１で選択されていたエラーを説明する情報が表示される。すなわち、取扱説明書表示ボタンＤ１２が押下されると、対象となるエラー（図５ではＲＢＣ検出器つまり）についての原因、対処、エラー復帰条件等の情報が記載された電子マニュアルの該当ページが表示領域Ａ２１に表示される。
【００６６】
なお、電子マニュアルはリンク機能を有している。取扱説明書表示ボタンＤ１２が押下されると、エラーメッセージリストＤ１１で選択されたエラーに対応するリンク情報がハードディスク４０４から読み出され、かかるリンク情報に基づいて電子マニュアルの該当ページが表示される。ハードディスク４０４には、電子マニュアルの該当ページを指定するリンク情報が、取扱説明書表示ボタンＤ１２と各エラーとに対応付けられて、記憶されている。
【００６７】
また、表示領域Ａ２１の左側領域には電子マニュアルの目次が表示され、表示領域Ａ２１の右側領域には該当する電子マニュアルのページが表示される。左側領域と右側領域は、それぞれスクロールバーにより上下に表示内容をスクロールさせることができるよう構成されている。
【００６８】
図７は、図５に示すヘルプダイアログＤ１の詳細手順表示ボタンＤ１３が押下されたときの表示部４２の表示内容を示す図である。
【００６９】
図５に示す状態でユーザにより詳細手順表示ボタンＤ１３が押下されると、ヘルプダイアログＤ１が閉じられて、メイン領域Ａ２０に表示領域Ａ２１が設定される。図７に示す如く、この場合の表示領域Ａ２１には、エラーメッセージリストＤ１１で選択されていたエラーへの対処方法を示す対処情報（エラーを解除するための操作手順）が表示される。すなわち、詳細手順表示ボタンＤ１３が押下されると、対象となるエラー（図５ではＲＢ
Ｃ検出器つまり）への対処方法（エラーを解除する手順）が記載された電子マニュアルの該当ページが表示領域Ａ２１に表示される。この場合も、エラーメッセージリストＤ１１で選択されたエラーに対応するリンク情報がハードディスク４０４から読み出され、かかるリンク情報に基づいて電子マニュアルの該当ページが表示される。ハードディスク４０４には、電子マニュアルの該当ページを指定するリンク情報が、詳細手順表示ボタンＤ１３と各エラーとに対応付けられて、記憶されている。
【００７０】
なお、表示領域Ａ２１に表示される電子マニュアルには、図示の如く、指の形をしたアイコンＡ２１ａが含まれていることがある。アイコンＡ２１ａには、アイコンＡ２１ａが付された項目をさらに詳細に説明する電子マニュアルのページがリンクされている。ユーザによりアイコンＡ２１ａが押下されると、アイコンＡ２１ａが付された項目について、さらに詳細に記載された電子マニュアルが表示される。この場合、アイコンＡ２１ａが押下されると、電子マニュアルに保持されたリンク情報が読み出され、かかるリンク情報に基づいて電子マニュアルの該当ページが表示される。電子マニュアルには、このようなアイコンに対応して、電子マニュアル内の該当ページを指定するリンク情報が保持されている。
【００７１】
また、表示領域Ａ２１に表示される電子マニュアルには、表示されているエラーへの対処方法（エラーを解除するための操作手順）をさらに詳細に説明するための動画が含まれているページがある。
【００７２】
図８（ａ）は、動画を含む電子マニュアルのページを示す図である。電子マニュアルには、ＲＢＣ検出器つまりの対処方法（エラーを解除するための手順）を詳細に説明するための動画情報が埋め込まれており、かかる動画を閲覧および操作することができる動画表示領域Ａ２１ｂが配されている。動画表示領域Ａ２１ｂにはコントロールバーＡ２１ｃが配され、コントロールバーＡ２１ｃ内の再生ボタンＡ２１ｄが押下されると、ＲＢＣ検出器つまりを解除するための操作手順が動画で表示される。また、ユーザは、コントロールバーＡ２１ｃの各操作部を操作することにより、動画の再生位置等を変更することができる。
【００７３】
図８（ｂ）〜（ｃ）は、動画表示領域Ａ２１ｂの表示内容を示す図である。このように動画表示領域Ａ２１ｂに表示される動画を参照することにより、ユーザは、エラー（この場合はＲＢＣ検出器つまり）を解除するために必要な操作手順を知ることができるため、より容易にエラーに対処することができる。
【００７４】
図９は、表示領域Ａ２１とヘルプダイアログＤ１が同時に表示されているときの表示部４２の表示内容を示す図である。
【００７５】
図７に示すように表示領域Ａ２１にエラーへの対処方法（操作手順）が表示されている状態で、ユーザによりエラーボタンＰ３１が押下されると、ヘルプダイアログＤ１が再表示されて、図９に示す状態となる。
【００７６】
このように、表示領域Ａ２１にエラーへの対処方法（操作手順）が表示されると共に、ヘルプダイアログＤ１が表示されると、ユーザは表示領域Ａ２１を見ながらヘルプダイアログＤ１に対する操作を行うことができる。たとえば、ユーザは、表示領域Ａ２１に記載された電子マニュアルに従って操作を進め、その後、電子マニュアルに、実行ボタンＤ１４を押下することが記載されていると、実行ボタンＤ１４の押下を円滑に進めることができる。これにより、ユーザの操作性が向上され得る。
【００７７】
実行ボタンＤ１４が押下されると、ＣＰＵ４０１は、ＲＢＣ検出器つまりの異常から復
旧するための復旧動作として、測定ユニットにＲＢＣ検出器の自動洗浄を実行させる。この自動洗浄では、ＲＢＣ検出器に希釈液を所定回数流すことによってＲＢＣ検出器内の洗浄が自動的に行われる。
【００７８】
図１０は、試薬切れに基づくヘルプダイアログＤ１が開かれているときの表示部４２の表示内容を示す図である。図１０は、測定ユニット３２において“セルパックＤＣＬがなくなりました”が発生している状態を示している。
【００７９】
この場合も、図５と同様、操作部Ｍ２のステータス通知部Ｐ１１の色が赤色となり、エラーメッセージ表示領域Ｐ１２にエラーメッセージが表示され、エラーボタンＰ３１が表示され、操作部Ｍ２の上部にヘルプダイアログＤ１が表示されている。
【００８０】
図５と同様、取扱説明書表示ボタンＤ１２が押下されると、メイン領域Ａ２０に、エラーを説明する情報が表示される。また、詳細手順表示ボタンＤ１３が押下されると、図１１に示すように、メイン領域Ａ２０に、エラーへの対処方法（エラーを解除するための手順）を示す表示領域Ａ２１が設定される。さらに、実行ボタンＤ１４が押下されると、エラーメッセージリストＤ１１で選択されているエラーを解除するための処理が実行される。閉じるボタンＤ１５が押下されると、ヘルプダイアログＤ１が閉じられる。図１１の状態において、エラーボタンＰ３１が押下されると、図１２のように、ヘルプダイアログＤ１が再表示される。
【００８１】
図１３は、図１０および図１２に示すヘルプダイアログＤ１の実行ボタンＤ１４が押下されたときの表示部４２の表示内容を示す図である。
【００８２】
図１０および図１２に示す状態でユーザにより実行ボタンＤ１４が押下されると、ヘルプダイアログＤ１が閉じられて、替わりに試薬交換ダイアログＤ２が表示される。なお、試薬交換ダイアログＤ２は、図１０および図１２に示すヘルプダイアログＤ１の実行ボタンＤ１４により表示されるだけでなく、操作部Ｍ１、Ｍ２の操作部メニューボタンＰ３２が押下されることにより表示される操作部メニュー画面（図示せず）を介しても表示される。
【００８３】
図１３に示す如く、試薬交換ダイアログＤ２は、測定ユニット３２にセットされている試薬の一覧が表示されており、各試薬に対応する表示領域には、試薬容器の残量を示す情報等が表示される。図１３では、“セルパックＤＣＬ”に対応する表示領域に、試薬残量が不足していることを示すアイコンＤ２１が表示されている。このように、アイコンＤ２１を確認することにより、ユーザはどの試薬について試薬残量が不足しているかを認識することができる。
【００８４】
また、試薬交換ダイアログＤ２は、実行ボタンＤ２２とキャンセルボタンＤ２３を含んでいる。ユーザは、“セルパックＤＣＬがなくなりました”を解消する場合、測定ユニット３２の蓋３２ａを開けて、セルパックＤＣＬの試薬容器を交換した後で、実行ボタンＤ２２を押下する。このような操作手順は、表示領域Ａ２１に表示された電子マニュアルの、図１１の記載に続く個所に記載されている。これにより、“セルパックＤＣＬがなくなりました”のエラーが解除され、試薬交換ダイアログＤ２が閉じられると共に、ヘルプダイアログＤ１のエラーメッセージリストＤ１１から対応するエラー項目が消える。キャンセルボタンＤ２３が押下されると、試薬交換ダイアログＤ２が閉じられる。
【００８５】
図１４は、精度管理異常に基づくヘルプダイアログＤ１が開かれているときの表示部４２の表示内容を示す図である。図１４は、測定ユニット３２において精度管理物質の測定結果に正常範囲を超える結果が含まれることにより精度管理異常が発生し、エラーメッセ
ージリストＤ１１において“＜精度管理異常＞”が選択されている状態を示している。
【００８６】
この場合も、図５と同様、操作部Ｍ２のステータス通知部Ｐ１１の色が赤色となり、エラーメッセージ表示領域Ｐ１２にエラーメッセージが表示され、エラーボタンＰ３１が表示され、操作部Ｍ２の上部にヘルプダイアログＤ１が表示されている。この場合のヘルプダイアログＤ１は、図５に示すヘルプダイアログＤ１と同様の取扱説明書表示ボタンＤ１２と閉じるボタンＤ１５を含むほか、詳細データ表示ボタンＤ１６と確認ボタンＤ１７を含んでいる。
【００８７】
詳細データ表示ボタンＤ１６が押下されると、メイン領域Ａ２０に精度管理に関するチャート（図１５参照）が表示される。確認ボタンＤ１７が押下されると、ユーザによりエラーが確認されたものとして、精度管理異常のエラーが解除され、エラーメッセージリストＤ１１から“＜精度管理異常＞”が消えると共に、ヘルプダイアログＤ１が閉じられる。
【００８８】
図１５は、図１４に示すヘルプダイアログＤ１の詳細データ表示ボタンＤ１６が押下されたときの表示部４２の表示内容を示す図である。
【００８９】
図１２に示す状態でユーザにより詳細データ表示ボタンＤ１６が押下されると、ヘルプダイアログＤ１が閉じられて、メイン領域Ａ２０に表示領域Ａ２２が設定される。表示領域Ａ２２には、複数の測定項目（ＲＢＣ、ＨＧＢ、ＨＣＴ、ＭＣＶ等）について、精度管理における測定結果の履歴を示すチャートで表示される。なお、精度管理が行われると、各測定項目についての測定結果が、測定日時と共にハードディスク４０４に記憶される。詳細データ表示ボタンＤ１６が押下されると、ハードディスク４０４から過去の測定結果が読み出され、読み出された過去の測定結果と今回の測定結果とを用いて、図１５に示すチャートが生成され、表示される。測定結果の履歴を示すチャートに、正常範囲を超える結果が含まれるとき、その箇所に×印のアイコンＡ２２ａが表示される。
【００９０】
このとき、カーソルＡ２２ｂは、精度管理異常の原因となった測定結果に位置付けられる。図１３では、今回の測定項目「ＲＢＣ」において正常範囲を超える結果が生じており、カーソルＡ２２ｂがアイコンＡ２２ａに位置付けられている。これにより、ユーザは、精度管理異常が生じた測定項目を確認することができる。
【００９１】
図１６（ａ）〜（ｃ）は、測定ユニット３２と搬送ユニット２に、種々のエラーが生じたときに表示部４２に表示されるヘルプダイアログＤ１および操作部Ｍ２を示す図である。
【００９２】
図１６（ａ）は、測定ユニット３２でバーコード読み取り異常が生じ、エラーメッセージリストＤ１１において“バーコード読み取り異常”が選択されている状態を示している。
【００９３】
この場合のヘルプダイアログＤ１には、取扱説明書表示ボタンＤ１２と、閉じるボタンＤ１５と、確認ボタンＤ１７が配され、詳細手順表示ボタンＤ１３や詳細データ表示ボタンＤ１６は配されない。確認ボタンＤ１７が押下されると、ユーザがバーコードの読み取りに異常が生じたことを確認したとして、エラーが解除される。取扱説明書表示ボタンＤ１２が押下されると、エラー（バーコード読み取り異常）を説明する情報が表示される。
【００９４】
図１６（ｂ）は、測定ユニット３２で複数のエラーが生じ、エラーメッセージリストＤ１１において、“ＲＢＣ検出器つまり”が選択されている状態を示している。なお、エラーメッセージ表示領域Ｐ１２には、エラーメッセージリストＤ１１の最上段に表示されて
いるエラー項目が表示される。
【００９５】
図１６（ｂ）に示すように、エラーメッセージリストＤ１１において“ＲＢＣ検出器つまり”が選択されていると、ヘルプダイアログＤ１には、図５と同様、取扱説明書表示ボタンＤ１２と、詳細手順表示ボタンＤ１３と、実行ボタンＤ１４と、閉じるボタンＤ１５が配される。図１６（ｂ）の状態で、ユーザにより“バーコード読み取り異常”が選択されると、ヘルプダイアログＤ１には、図１６（ａ）と同様、取扱説明書表示ボタンＤ１２と、閉じるボタンＤ１５と、確認ボタンＤ１７が配される。図１６（ｂ）の状態で、ユーザにより“＜精度管理異常＞”が選択されると、ヘルプダイアログＤ１には、図１４と同様、取扱説明書表示ボタンＤ１２と、閉じるボタンＤ１５と、詳細データ表示ボタンＤ１６と、確認ボタンＤ１７が表示される。
【００９６】
このように、ヘルプダイアログＤ１に配されるボタンは、取扱説明書表示ボタンＤ１２と閉じるボタンＤ１５を除き、エラーメッセージリストＤ１１で選択されているエラー項目によって変化する。すなわち、エラー項目と表示されるボタンとを対応づける情報が、図３のハードディスク４０４に記憶されている。これにより、ユーザは、エラーへの対処方法（操作手順）を知りたい場合や、エラーの発生原因となったデータを確認したい場合に、迅速に操作を行うことが可能となる。また、ユーザにとってエラーへの対処方法（操作手順）が必要となると想定される場合には、ヘルプダイアログＤ１に詳細手順表示ボタンＤ１３が配される。これにより、ユーザは、エラーを解除するために所定の手順を要することを認識することができる。
【００９７】
図１６（ｃ）は、測定ユニット３２に対応する搬送ユニット２の領域でエラーが生じ、エラーメッセージリストＤ１１において、“ラック横送り異常”が選択されている状態を示している。
【００９８】
この場合のヘルプダイアログＤ１には、取扱説明書表示ボタンＤ１２と、実行ボタンＤ１４と、閉じるボタンＤ１５が配され、詳細手順表示ボタンＤ１３や詳細データ表示ボタンＤ１６は配されない。実行ボタンＤ１４が押下されると、ラック搬送部２３のベルト（図示せず）の初期化が行われ、エラーが解除される。
【００９９】
なお、本実施の形態において、詳細手順表示ボタンＤ１３が、特許請求の範囲に記載の「対処情報指示部」に相当する。実行ボタンＤ１４と確認ボタンＤ１７が、特許請求の範囲に記載の「解除処理指示部」に相当する。詳細データ表示ボタンＤ１６が、特許請求の範囲に記載の「詳細情報指示部」に相当する。取扱説明書表示ボタンＤ１２が、特許請求の範囲に記載の「説明情報指示部」に相当する。取扱説明書ボタンＨ１が、特許請求の範囲に記載の「マニュアル表示指示部」に相当する。
【０１００】
図１７は、ヘルプダイアログＤ１が操作されることにより行われる処理のフローチャートを示す図である。
【０１０１】
情報処理ユニット４のＣＰＵ４０１は、検体処理装置１内のユニット（測定ユニット３１、３２、搬送ユニット２）において、エラーが発生したかを監視している（Ｓ１１）。エラーの発生が検出されると（Ｓ１１：ＹＥＳ）、処理がＳ１２に進められる。他方、エラーが発生していないと（Ｓ１１：ＮＯ）、シャットダウンが行われるまで（Ｓ２５：ＹＥＳ）、Ｓ１１〜Ｓ２５の処理が繰り返される。
【０１０２】
エラーが発生すると、ＣＰＵ４０１は、ヘルプダイアログＤ１を表示部４２に表示する（Ｓ１２）。ここで、ヘルプダイアログＤ１に配されたボタンに対するユーザの操作に応じて、以下のように処理が行われる。
【０１０３】
取扱説明書表示ボタンＤ１２が押下されると（Ｓ１３：ＹＥＳ）、ＣＰＵ４０１は、メイン領域Ａ２０に、エラーについて記載された電子マニュアルの該当ページを表示する（Ｓ１４）。詳細手順表示ボタンＤ１３が押下されると（Ｓ１５：ＹＥＳ）、ＣＰＵ４０１は、メイン領域Ａ２０に、エラーへの対処方法（操作手順）が記載された電子マニュアルの該当ページを表示する（Ｓ１６）。詳細データ表示ボタンＤ１６が押下されると（Ｓ１７：ＹＥＳ）、ＣＰＵ４０１は、メイン領域Ａ２０に、精度管理における測定結果の履歴を示すチャートを表示する（Ｓ１８）。
【０１０４】
閉じるボタンＤ１５が押下されると（Ｓ１９：ＹＥＳ）、ＣＰＵ４０１は、ヘルプダイアログＤ１を閉じる（Ｓ２０）。しかる後、エラーボタンＰ３１が押下されると（Ｓ２１：ＹＥＳ）、ＣＰＵ４０１は、ヘルプダイアログＤ１を再表示する（Ｓ２２）。実行ボタンＤ１４または確認ボタンＤ１７が押下されると（Ｓ２３：ＹＥＳ）、ＣＰＵ４０１は、エラーを解除するための処理を実行する（Ｓ２４）。他方、実行ボタンＤ１４または確認ボタンＤ１７が押下されていないと（Ｓ２３：ＮＯ）、処理がＳ１３に戻される。エラーメッセージリストＤ１１に含まれる全てのエラーが解除されると（Ｓ２５：ＹＥＳ）、処理がＳ２６に進められる。他方、全てのエラーが解除されていないと（Ｓ２５：ＮＯ）、処理がＳ１３に戻される。
【０１０５】
以上、本実施の形態によれば、ユーザは、異常（エラー）への対処方法（操作手順）が分からない場合、詳細手順表示ボタンＤ１３を押下することにより、メイン領域Ａ２０にエラーへの対処方法（操作手順）が記載された電子マニュアルの該当ページを表示させることができる。これにより、ユーザは、施設に冊子として保管されてある取扱説明書等で異常への対処方法が記載された箇所を別途探して参照する必要がなくなる。また、ユーザは、実行ボタンＤ１４を押下することにより、エラーを解除するための処理を実行させることができる。これにより、エラーの解除処理におけるユーザの手間が軽減され得る。
【０１０６】
また、本実施の形態によれば、エラーが検出されている場合には、ヘルプダイアログＤ１の詳細手順表示ボタンＤ１３を押下することにより、エラーへの対処方法が記載された電子マニュアルの該当ページを表示させることができるので、メニュー画面Ａ１のメイン領域Ａ２０に表示された取扱説明書ボタンＨ１を押下してエラーの該当ページを表示させる必要がない。そのため、ユーザの手間を軽減させることができる。
【０１０７】
また、本実施の形態によれば、ヘルプダイアログＤ１には、検出された異常（エラー）がエラーメッセージリストＤ１１に表示されると共に、詳細手順表示ボタンＤ１３と実行ボタンＤ１４が配される。これにより、ユーザは、エラーを確認しながら、エラーへの対処方法（操作手順）を表示させ、エラーを解除するための処理を実行させることができる。
【０１０８】
また、本実施の形態によれば、ユーザは、検知された異常（エラー）への対処方法（操作手順）が分からない場合、対処方法（操作手順）をメイン領域Ａ２０に表示させて確認した後、実行ボタンＤ１４を押下することによりエラーを解除することができる。また、ユーザは、検知されたエラーへの対処方法（操作手順）が分かっている場合、対処方法（操作手順）を表示させることなく、実行ボタンＤ１４を押下することにより、直ちにエラーを解除することができる。これによっても、エラーの解除処理におけるユーザの手間がさらに軽減され得る。
【０１０９】
以上、本発明の実施の形態について説明したが、本発明の実施の形態はこれらに限定されるものではない。
【０１１０】
たとえば、上記実施の形態では、測定対象として血液を例示したが、尿についても測定対象とされ得る。すなわち、尿を検査する検体処理装置にも本発明を適用することができ、さらに、他の臨床検体を検査する臨床検体処理装置に本発明を適用することもできる。
【０１１１】
また、上記実施の形態では、測定ユニットに実行させる異常からの復旧動作として、ＲＢＣ検出器つまりが生じた場合にＲＢＣ検出器内の洗浄を測定ユニットに行わせる例を示したが、本発明はこれに限られない。測定ユニットに実行させる復旧動作としては、たとえば、ラック搬送部２３上の検体ラックＬから検体容器Ｔを取り出すハンド部の動作異常が生じた場合に、ハンド部を原点位置まで移動させる動作であってもよい。
【０１１２】
また、上記実施の形態では、ユーザが詳細手順表示ボタンＤ１３を押下することにより、メイン領域Ａ２０にエラーへの対処方法（操作手順）が記載された電子マニュアルの該当ページを表示させているが、本発明はこれに限られず、詳細手順表示ボタンＤ１３が押されなくても、自動的に電子マニュアルの該当ページをメイン領域Ａ２０に表示させてもよい。
【０１１３】
たとえば、検体処理装置１において検出された異常が一つだけの場合には、ヘルプダイアログＤ１が表示されるときに、上記異常への対処方法が記載された電子マニュアルの該当ページを自動的にメイン領域Ａ２０に表示させてもよい。具体的には、図４に示すような画面が表示されているときに一つの異常が検出されると、ユーザによって操作が行われなくても、図９に示すように、表示領域Ａ２１に対処方法が記載された電子マニュアルの該当ページが自動的に表示されてもよい。
【０１１４】
また、検体処理装置１において複数の異常が検出されている場合でも、それら複数の異常の優先順位を決定し、ヘルプダイアログＤ１が表示されるときに、優先順位が最も高い異常への対処方法が記載された電子マニュアルの該当ページを自動的にメイン領域Ａ２０に表示させてもよい。この場合、優先順位が高い異常が解除されると、メイン領域Ａ２０に表示されている電子マニュアルのページを、次に優先順位の高い異常への対処方法が記載された電子マニュアルの該当ページに自動的に切り替えてもよい。
【０１１５】
また、上記実施の形態では、異常が検出された場合に、図５に示すように、エラーボタンＰ３１が表示され、ステータス通知部Ｐ１１の色が赤色となり、エラーメッセージ表示領域Ｐ１２にエラーメッセージが表示されることに加えて、ヘルプダイアログＤ１が表示された。しかしながら、これに限らず、異常が検出された場合にはヘルプダイアログＤ１は表示されず、図１８に示すように、エラーボタンＰ３１と、ステータス通知部Ｐ１１と、エラーメッセージ表示領域Ｐ１２のみが、上記実施の形態と同様に表示されても良い。この場合、エラーボタンＰ３１が押下されると、上記実施の形態と同様に、ヘルプダイアログＤ１が表示される（図５参照）。また、図１８の状態において、エラーボタンＰ３１が押下されると、図９のように、ヘルプダイアログＤ１の表示と併せて、表示領域Ａ２１に対処方法が記載された電子マニュアルの該当ページが自動的に表示されるようにしても良い。
【０１１６】
この他、本発明の実施の形態は、特許請求の範囲に示された技術的思想の範囲内において、適宜、種々の変更が可能である。
【符号の説明】
【０１１７】
１  …  検体処理装置
２  …  搬送ユニット
３１、３２  …  測定ユニット
４２  …  表示部
４０１  …  ＣＰＵ
４０４  …  ハードディスク
Ａ１  …  メニュー画面
Ａ２０  …  メイン領域
Ａ２１、Ａ２２  …  表示領域
Ａ２１ａ  …  アイコン
Ａ２１ｂ  …  動画表示領域
Ａ２１ｃ  …  コントロールバー
Ａ３０  …  測定操作領域
Ｄ１  …  ヘルプダイアログ
Ｄ１１  …  エラーメッセージリスト
Ｄ１２  …  取扱説明書表示ボタン
Ｄ１３  …  詳細手順表示ボタン
Ｄ１４  …  実行ボタン
Ｄ１６  …  詳細データ表示ボタン
Ｄ１７  …  確認ボタン
Ｄ２  …  試薬交換ダイアログ
Ｈ１  …  取扱説明書ボタン
Ｐ３１  …  エラーボタン
【図１】
0005792508.tif 000002
【図２】
0005792508.tif 000003
【図３】
0005792508.tif 000004
【図４】
0005792508.tif 000005
【図５】
0005792508.tif 000006
【図６】
0005792508.tif 000007
【図７】
0005792508.tif 000008
【図８】
0005792508.tif 000009
【図９】
0005792508.tif 000010
【図１０】
0005792508.tif 000011
【図１１】
0005792508.tif 000012
【図１２】
0005792508.tif 000013
【図１３】
0005792508.tif 000014
【図１４】
0005792508.tif 000015
【図１５】
0005792508.tif 000016
【図１６】
0005792508.tif 000017
【図１７】
0005792508.tif 000018
【図１８】
0005792508.tif 000019